(57)【要約】【課題】生育期間の初期或いは生育期間を通して苔の生育・繁茂状態や外観の見栄えの良い苔緑化シートを提供する。【解決手段】本考案の苔緑化シート１は、ゴム製基盤２１上に繊維層２２が設けられたタイルカーペットを含んだ培地層２と、培地層２上に設けられた種苔層３と、種苔層３上に設けられたネット４と、を有する。種苔層３は、１〜５ｍｍの大きさを有した種苔を含んだ第１の種苔層３１と、５〜１０ｍｍの大きさを有した種苔を含んだ第２の種苔層３２と、１０〜１５ｍｍの大きさを有した種苔を含んだ第３の種苔層３３と、を有することを特徴とする。さらに、第１の種苔層３１は培地層２上に形成され、第２の種苔層３２は第１の種苔層３１上に形成され、かつ、第３の種苔層３３は第２の種苔層３２上に形成される構成が好ましい。【選択図】図１
0003187614.tif 000002
【実用新案登録請求の範囲】
【請求項１】
ゴム製基盤上に繊維層が設けられたタイルカーペットを含んだ培地層と、
前記培地層上に設けられた種苔層と、
前記種苔層上に設けられたネットと、を有した苔緑化シートであって、
かつ、前記種苔層は、
１〜５ｍｍの大きさを有した種苔を含んだ第１の種苔層と、
５〜１０ｍｍの大きさを有した種苔を含んだ第２の種苔層と、
１０〜１５ｍｍの大きさを有した種苔を含んだ第３の種苔層と、
を有することを特徴とする苔緑化シート。
【請求項２】
前記第１の種苔層は前記培地層上に形成され、
前記第２の種苔層は前記第１の種苔層上に形成され、かつ、
前記第３の種苔層は前記第２の種苔層上に形成されることを特徴とする請求項１に記載の苔緑化シート。
【請求項３】
前記繊維層がループ状のパイル糸で繰り返し形成され、かつ、
前記第１の種苔層が前記繊維層内に入り込んで形成されることを特徴とする請求項１又は２に記載の苔緑化シート。
【請求項４】
前記種苔はスナゴケであることを特徴とする請求項１〜３のいずれかに記載の苔緑化シート。
【考案の詳細な説明】
【技術分野】
【０００１】
本考案は、土や砂などを使わない新規な苔緑化シートに関するものである。
【背景技術】
【０００２】
近年、地球温暖化が様々な異常気象などの環境変動をもたらしており、これを防止する取り組みが官民の隔てなく行われている。
【０００３】
ところで、建物の屋上緑化も数ある地球温暖化防止策の一つであり、苔植物を使用した屋上緑化技術が既に提案されている（特許文献１，２を参照）。
【０００４】
しかしながら、苔植物は、種苔から繁茂した苔緑化シートになるまでに、長い生育期間（例えば、数年〜１０年程度）を必要とするものであり、生育途中にある苔の外観は余り見栄えが良いとは言えない為、建物の保有者あるいは居住者から、施工後、何年たっても屋上の緑化が完了していないとの懸念を抱かれる恐れがあった。
【０００５】
なお、特許文献１，２には、屋上で施工が容易な苔緑化マット或いはパネルが開示されているが、生育期間を通して苔の生育・繁茂状態や外観の見栄えを改善するような技術を開示するものではない。なお、苔が生育不全である場合には、苔が蒔かれたマット基材に対して苔が堅実に定植せず、マット基材から剥がれネットの網目から飛散してしまったり、マット定植面に対して苔の繁茂状態にムラができてしまったりすることが指摘されていた。
【先行技術文献】
【特許文献】
【０００６】
【特許文献１】特開２００５−１６０３１５号公報
【特許文献２】特開２００５−１６８３７０号公報
【考案の概要】
【考案が解決しようとする課題】
【０００７】
本考案は、従来の実情に鑑みて提案されたものであり、生育期間の初期或いは生育期間を通して苔の生育・繁茂状態や外観の見栄えの良い苔緑化シートを提供することを目的とする。
【課題を解決するための手段】
【０００８】
本考案者らは、鋭意検討した末、種苔を定植用基材（つまり培地層）上に蒔く際に、その寸法（大きさ）を異ならしめることで、成長過程と成長に要する時間（以下、「成長の沸点」とも呼ぶ。）を変更あるいは調節できることに想到し、この点を採用した苔緑化シートであれば、前記課題を解決できることを見出し、本考案を完成するに至った。
【０００９】
すなわち、本考案は、例えば、次の構成・特徴を採用するものである。
（態様１）
ゴム製基盤上に繊維層が設けられたタイルカーペットを含んだ培地層と、
前記培地層上に設けられた種苔層と、
前記種苔層上に設けられたネットと、を有した苔緑化シートであって、
かつ、前記種苔層は、
１〜５ｍｍの大きさを有した種苔を含んだ第１の種苔層と、
５〜１０ｍｍの大きさを有した種苔を含んだ第２の種苔層と、
１０〜１５ｍｍの大きさを有した種苔を含んだ第３の種苔層と、
を有することを特徴とする苔緑化シート。
（態様２）
前記第１の種苔層は前記培地層上に形成され、
前記第２の種苔層は前記第１の種苔層上に形成され、かつ、
前記第３の種苔層は前記第２の種苔層上に形成されることを特徴とする態様１に記載の苔緑化シート。
（態様３）
前記繊維層がループ状のパイル糸で繰り返し形成され、かつ、
前記第１の種苔層が前記繊維層内に入り込んで形成されることを特徴とする態様１又は２に記載の苔緑化シート。
（態様４）
前記種苔はスナゴケであることを特徴とする態様１〜３のいずれかに記載の苔緑化シート。
【考案の効果】
【００１０】
（良好な繁茂状態及び見栄え）
本考案によれば、以上のように構成されているため、生育期間の初期或いは生育期間を通して苔の生育・繁茂状態や外観の見栄えの良い苔緑化シートを提供することができる。
【００１１】
（軽量性及び低コスト）
本考案の苔緑化シートによれば、培地層として、従来のように土や砂を使用せずに、市販のタイルカーペットを使用するため、非常に軽量であり、広大な屋上に対しても施工が容易となり、低コストで提供できる。
【００１２】
（柔軟性）
また、本考案の苔緑化シートは、苔とタイルカーペットとが堅実に一体化されており、優れた柔軟性を発揮するため、曲面を有した傾斜面など様々な場所にも本考案のシートを適用することができる。
【００１３】
（フリーメンテナンス及びＣＯ２削減）
本考案の苔緑化シートによれば、緑化用の植物として苔（好ましくは、スナゴケ）を採用しているため、生育中の水やりや施肥といった管理が不要であり、つまりフリーメンテナンスである。また、苔は他の植物に比べＣＯ２放出頻度が少なく、相対的にＣＯ２削減が可能であるといった利点も挙げられる。
【図面の簡単な説明】
【００１４】
【図１】本考案の苔緑化シートを示した分解斜視図である。
【図２】本考案の一構成要素であるタイルカーペット（培地層）を説明した図である。
【考案を実施するための形態】
【００１５】
以下、本考案を図面に示す実施例に基づき説明するが、本考案は、下記の具体的な実施例に何等限定されるものではない。なお、各図において同一又は対応する要素には同一符号を用いる。
【実施例】
【００１６】
本考案の実施例に係る苔緑化シート１は、図１，２に示すように、ゴム製基盤２１上に繊維層２２が設けられたタイルカーペットを含んだ培地層２と、培地層２上に設けられた種苔層３と、種苔層３上に設けられたネット４と、を有する。
【００１７】
ここで、種苔層３は、１〜５ｍｍの大きさ（以下、「小サイズ」とも呼ぶ。）を有した第１の種苔層３１と、５〜１０ｍｍ（好ましくは、７〜９ｍｍ（さらに好ましくは、約８ｍｍ））の大きさ（以下、「中サイズ」とも呼ぶ。）を有した第２の種苔層３２と、１０〜１５ｍｍの大きさ（以下、「大サイズ」とも呼ぶ。）を有した第３の種苔層３３と、を少なくとも有することを特徴とする。
【００１８】
さらに、実施例の各種苔層３１，３２，３３は、以下に示す構造を有するように構成されていることが好ましい（側面図である図２も参照）。すなわち、第１の種苔層３１は培地層２上に形成され、第２の種苔層３２は第１の種苔層３１上に形成され、かつ、第３の種苔層３３は第２の種苔層３２上に形成されることが好ましい。
【００１９】
（種苔を複数の層状にする理由）
これにより、後述するように苔が成長する上での沸点を各層３１，３２，３３毎に変更することが可能となり、生育期間の初期或いは生育期間を通して苔の生育・繁茂状態や外観の見栄えの良い苔緑化シート１を提供することができる。
【００２０】
（第１の種苔層３１を最下層にする理由）
上記小サイズの種苔を含んだ第１の種苔層３１は培地層２上を形成することにより、後述するように、当該種苔が培地層２の繊維層２２内に入り込んで当該繊維層２２に把持され易くなるため、しっかりと種苔が定着し、ひいては第１の種苔層３１と培地層２との接着性が向上されるようになる。
【００２１】
（第３の種苔層３３を最上層にする理由）
また、上記大サイズの種苔を含んだ第３の種苔層３３は、種苔層３の中で最も上位に敷設される理由として、最もサイズが大きい塊であることから既に生育が進んでおり、ある程度見栄えが良いことが挙げられる。さらに、ネット４の網目（例えば、通常４ｍｍ×４ｍｍ）から抜け出る恐れがないことも理由の一つである。また、当該種苔層３３より下層の第１・第２の種苔層３１，３２ではよりサイズが小さい種苔で構成されており、これらの小さい種苔は第３の種苔層３３での進んだ成長状態の種苔に接することにより、成長の刺激を受けることが予測される。つまり、第３の種苔層３３は、第１・第２の種苔層３１，３２に、成長能力に刺激を与えることができるものと本願考案者らは考えるのである。
【００２２】
（第２の種苔層３３を中間層に追加する理由）
第２の種苔層３２は、第１・第３の種苔層３１，３３の中間に配置される。言い換えれば、上下の層３１，３３と比較して中間サイズの種苔層３２を挟み込むことで、サイズがかけ離れた層３１，３３同士を確実に接続することができる。また、各層毎に発芽するタイミングも異なるようになるため、従来の苔マットに比べると、絶えず発芽が行われるようになり、青々とする時期が長時間続くようになる。
【００２３】
（スナゴケの利用）
なお、種苔はスナゴケであることが好ましい。スナゴケは、乾燥してしまうと休眠状態となるが、水分を補給されれば、生育が再開する活動を行うため、乾燥、強風、温度等に影響されない生命力を有する。さらに、土壌を必要とせず、屋上或いは地面に対して傾斜した面でさえも仮根と呼ばれる根でもって当該面を把持しながら繁殖可能であるといった優れた能力を有する。
【００２４】
（種苔の製造）
本考案の苔緑化シート１の原料となる種苔は、育成されたスナゴケを一旦乾燥させ、上記所定サイズに切断する（刈り込む）ことで得られる。上記切断方法の例示として公知の粉砕機等での粉砕が挙げられる。苔サイズの選別として公知の篩の利用が挙げられる。
【００２５】
（タイルカーペットの利用）
なお、本考案の培地層２には、ゴム製基盤２１上に繊維層２２が設けられたタイルカーペット（例えば、入手可能な市販のタイルカーペット（巾５００ｍｍ×奥行５００ｍｍ））を使用することに留意されたい。培地層２にタイルカーペットを使用することで、例えば、以下の項目の利点が得られる。
【００２６】
（タイルカーペットの利点）
（１）タイルカーペット２は、その基盤２１は通常、ゴム製であるため、柔軟性を発揮する。これにより、苔緑化シート１の製造や施工が容易となる長所が得られる。
【００２７】
（２）タイルカーペット２は、この基盤２１上に繊維層２２が設けられている。この繊維層２２は通常、ループ状のパイル糸２３を繰り返し基盤２１上に埋め込むことによって形成される。以上のようなループ状のパイル糸２３から構成された繊維層２２がカーペット２上に存在することで、上述の第１の種苔層３１を構成する小サイズの種苔がカーペット２に絡みやすくなって飛散しにくくなるとともに、この種苔層３の最下層３１に通気性を付与することもできる。
【００２８】
さらに、好ましくは、ループ状のパイル糸２３からなる空隙が第１の種苔層３１の種苔のサイズ（小サイズ）と同程度（同一の範囲）であることが好ましい。これにより、第１の種苔層３１の種苔をタイルカーペット２上に所定分量だけ蒔いた後に、ローラー等を使って当該種苔をタイルカーペット２の繊維層２２に押圧すれば、当該種苔はタイルカーペット２の繊維層２２内に入り込み、繊維層２２内に第１の種苔層３１が形成されることになって、追加の接着剤等を塗布しなくても当該種苔層３１がタイルカーペット２に確実に定着させることができる。
【００２９】
（３）また、繊維層２２が形成されることで一定期間水分を保持できるため、高い保湿性を有するようになり、苔の成長を助けることができる。
【００３０】
（本考案の苔緑化シートの製造方法）
次に、本考案の苔緑化シート１の製造方法を説明する。先ず、種苔を上述のような方法により、３種類のサイズに切断し、以下の順番で、タイルカーペット２上の全体に均一に塗布・敷設させる。
【００３１】
（１）先ず、小サイズの種苔をタイルカーペット２の繊維層２２上に全体に均一に蒔いて第１の種苔層３１を形成する。
【００３２】
（２）次に、中サイズの種苔を上記第１の種苔層３１上に全体に均一に蒔いて第２の種苔層３２を形成する。
【００３３】
（３）次に、大サイズの種苔を上記第２の種苔層３２上に全体に均一に蒔いて第３の種苔層３３を形成する。
【００３４】
（４）なお、種苔をタイルカーペット２の繊維層２２上に蒔いた際には、種苔がループ状のパイル糸２３に絡むようにローラーを使って押圧することが好ましい。これにより、特に、繊維層２２の有する空隙と同サイズの種苔からなる第１の種苔層３１は、該繊維層２２内に入り込むようにして堆積されるようになる。
【００３５】
（５）以上のように種苔層３１，３２，３３が敷設されたタイルカーペット２をポリプロピレン（ＰＰ）製のネット４（例えば、４ｍｍ×４ｍｍの網目）で覆う。これにより、種苔、特に最上層（第３の種苔層３３）を構成する種苔は、ネット４の網目よりも極めて大きいため、しっかりと固定されることになる。そして、この第３の種苔層３３によって、これより下層の第１・第２の種苔層３１，３２もしっかりと把持・固定されるようになる。このように、好適な網目サイズを有したネット４で種苔層３を覆うことで苔の飛散を防ぐことができるようになる。
【００３６】
以上のように実施例に基づいて本考案を説明したが、本考案は、具体的な構成に限定されるものではない。例えば、種苔層は３種類であることを前提としたが、例えば、３種類よりも多数の種苔層を含めるようにしてもよい。
【産業上の利用可能性】
【００３７】
本考案によれば、以上のように構成されているため、生育期間の初期或いは生育期間を通して苔の生育・繁茂状態や外観の見栄えの良い苔緑化シートを提供することができる。また、本考案の苔緑化シートは、上述したように、軽量性及び低コスト、柔軟性、フリーメンテナンス及びＣＯ２削減など、様々な長所を発揮する。
【００３８】
このように、本考案の苔緑化シートは産業上の利用価値及び利用可能性が非常に高い。
【符号の説明】
【００３９】
１    苔緑化シート
２    培地層（タイルカーペット）
３    種苔層
４    ネット
２１    ゴム製基盤
２２    繊維層
２３    パイル糸
３１    第１の種苔層
３２    第２の種苔層
３３    第３の種苔層
【図１】
0003187614.tif 000003
【図２】
0003187614.tif 000004